(57)【要約】【課題】本発明は、個人情報等が付加された画像データが外部に転送される可能性があることをユーザに容易に認識させることができる撮像装置を提供する。【解決手段】撮像装置１００では、画像データを外部に転送する通信機能を設定するために階層的に表示される設定画面上に、画像データに位置情報を付加するか否かを設定するための設定項目を表示させる。【選択図】図３
2015027032.tif 000002
【特許請求の範囲】
【請求項１】
撮影された画像データを外部に転送するための通信手段と、
前記画像データに付加することが可能な付加情報を取得する取得手段と、
前記通信手段を設定するための設定画面を階層的に表示して設定を行わせる第１の設定手段と、
前記取得手段を設定するための設定画面を階層的に表示して設定を行わせる第２の設定手段と、
前記第１の設定手段により階層的に表示される設定画面上に前記第２の設定手段で設定させる設定項目を表示させ、当該設定項目にて設定された内容に応じて、前記通信手段により転送される画像データに前記付加情報を付加するか否かを判定する制御手段とを備えることを特徴とする撮像装置。
【請求項２】
撮影された画像データを外部に転送するための通信手段と、
前記画像データに付加することが可能な付加情報を取得する取得手段と、
前記通信手段によって転送する画像データのタイプを設定するための設定画面を階層的に表示して設定を行わせる第１の設定手段と、
前記取得手段を設定するための設定画面を階層的に表示して設定を行わせる第２の設定手段と、
前記第１の設定手段により階層的に表示される設定画面上に前記第２の設定手段で設定させる設定項目を表示させ、当該設定項目にて設定された内容に応じて、前記通信手段により転送される画像データに前記付加情報を付加するか否かを判定する制御手段とを備えることを特徴とする撮像装置。
【請求項３】
前記付加情報には、前記撮像装置の位置情報、前記撮像装置の所有者情報、前記画像データの著作権を示す著作権情報の少なくとも１つが含まれることを特徴とする請求項１または２に記載の撮像装置。
【請求項４】
撮影された画像データを外部に転送するための通信手段と、
前記画像データに付加するメタデータを生成する生成手段と、
前記通信手段を設定するための設定画面を階層的に表示して設定を行わせる第１の設定手段と、
前記生成手段を設定するための設定画面を階層的に表示して設定を行わせる第２の設定手段と、
前記第１の設定手段により階層的に表示される設定画面上に前記第２の設定手段で設定させる設定項目を表示させ、当該設定項目にて設定された内容に応じて、前記通信手段により転送する画像データに前記メタデータを付加するか否かを判定する制御手段とを備えることを特徴とする撮像装置。
【請求項５】
撮影された画像データを外部に転送するための通信手段と、前記画像データに付加することが可能な付加情報を取得する取得手段とを備える撮像装置の制御方法において、
前記通信手段を設定するための設定画面を階層的に表示して設定を行わせる第１の設定工程と、
前記取得手段を設定するための設定画面を階層的に表示して設定を行わせる第２の設定工程と、
前記第１の設定工程にて階層的に表示される設定画面上に前記第２の設定工程で設定させる設定項目を表示させ、当該設定項目にて設定された内容に応じて、前記通信手段により転送される画像データに前記付加情報を付加するか否かを判定する制御工程とを備えることを特徴とする制御方法。
【請求項６】
撮影された画像データを外部に転送するための通信手段と、前記画像データに付加することが可能な付加情報を取得する取得手段とを備える撮像装置の制御方法において、
前記通信手段によって転送する画像データのタイプを設定するための設定画面を階層的に表示して設定を行わせる第１の設定工程と、
前記取得手段を設定するための設定画面を階層的に表示して設定を行わせる第２の設定工程と、
前記第１の設定工程にて階層的に表示される設定画面上に前記第２の設定工程で設定させる設定項目を表示させ、当該設定項目にて設定された内容に応じて、前記通信手段により転送される画像データに前記付加情報を付加するか否かを判定する制御工程とを備えることを特徴とする制御方法。
【請求項７】
撮影された画像データを外部に転送するための通信手段と、前記画像データに付加するメタデータを生成する生成手段とを備える撮像装置の制御方法において、
前記通信手段を設定するための設定画面を階層的に表示して設定を行わせる第１の設定工程と、
前記生成手段を設定するための設定画面を階層的に表示して設定を行わせる第２の設定工程と、
前記第１の設定工程にて階層的に表示される設定画面上に前記第２の設定工程で設定させる設定項目を表示させ、当該設定項目にて設定された内容に応じて、前記通信手段により転送する画像データに前記メタデータを付加するか否かを判定する制御工程とを備えることを特徴とする制御方法。
【請求項８】
請求項５乃至７のいずれか１項に記載の制御方法を撮像装置に実行させるためのコンピュータに読み取り可能なプログラム。
【発明の詳細な説明】
【技術分野】
【０００１】
本発明は、撮像装置及びその制御方法、並びにプログラムに関し、特に、通信機能と位置情報記録機能を有する撮像装置に関する。
【背景技術】
【０００２】
近年、ＧＰＳ（Ｇｌｏｂａｌ  Ｐｏｓｉｔｉｏｎｉｎｇ  Ｓｙｓｔｅｍ）を備えたデジタルカメラにより撮影された画像データを、インターネット上で複数のユーザが共有して楽しむシステムが知られている。例えば、特許文献１では、位置情報を含む各種情報を記録した画像データをインターネットにアップロードすることが可能なデジタルカメラが開示されている。
【先行技術文献】
【特許文献】
【０００３】
【特許文献１】特開２００４−３４３６２７号公報
【発明の概要】
【発明が解決しようとする課題】
【０００４】
しかしながら、特許文献１に記載されたデジタルカメラを利用して、ユーザが自宅で撮影を行った場合、ユーザの自宅の位置を示す位置情報が画像データに記録されることになる。そのため、位置情報が記録された画像データをインターネットにアップロードしてしまうと、当該画像データにより不特定多数のユーザに自宅の位置が知られる恐れがある。
【０００５】
特に、画像データへの位置情報の記録は、撮影者が意識することなく、撮影時にデジタルカメラにより自動的に記録されることがある。そのため、デジタルカメラからインターネット上のサーバ等へ画像データが転送される際も、撮影者は画像データに位置情報が付加されたままであるという意識が低い。しかも、近年では、撮影した画像データを自動的にアップロードする機能を備えたデバイスも登場してきている。このような環境では、撮影後に改めて画像データをアップロードする操作をするときよりも、プライベートな情報が公開されてしまう危険性を意識する機会が少なくなる。
【０００６】
本発明は、上記課題に対してなされたものであり、個人情報等が付加された画像データが外部に転送される可能性があることをユーザに容易に認識させることができる撮像装置を提供することを目的とする。
【課題を解決するための手段】
【０００７】
上記目的を達成するために、本発明の撮像装置は、撮影された画像データを外部に転送するための通信手段と、前記画像データに付加することが可能な付加情報を取得する取得手段と、前記通信手段を設定するための設定画面を階層的に表示して設定を行わせる第１の設定手段と、前記取得手段を設定するための設定画面を階層的に表示して設定を行わせる第２の設定手段と、前記第１の設定手段により階層的に表示される設定画面上に前記第２の設定手段で設定させる設定項目を表示させ、当該設定項目にて設定された内容に応じて、前記通信手段により転送される画像データに前記付加情報を付加するか否かを判定する制御手段とを備えることを特徴とする。
【発明の効果】
【０００８】
本発明によれば、画像データを外部に転送する通信機能を設定するために階層的に表示される設定画面上に、画像データに付加情報を付加するか否かを設定するための設定項目を表示させる。これにより、個人情報等が付加された画像データが外部に転送される可能性があることをユーザに容易に認識させることができる。
【図面の簡単な説明】
【０００９】
【図１】本発明の第１の実施形態に係る撮像装置の概略構成を示すブロック図である。
【図２】第１の実施形態における撮像装置の設定画面の一例を示す図であり、（ａ）階層１の設定メニュー画面、（ｂ）階層２の通信機能の設定メニュー画面とＧＰＳ機能の設定メニュー画面、（ｃ）階層３の通信の設定メニュー画面とＧＰＳの設定メニュー画面である。
【図３】第１の実施形態における撮像装置の設定画面の一例を示す図であり、（ａ）階層１の設定メニュー画面、（ｂ）階層２の通信機能の設定メニュー画面、（ｃ）階層３の通信機能の設定メニュー画面である。
【図４】図１の撮像装置における撮影処理の流れを示すフローチャートである。
【図５】第２の実施形態における撮像装置の設定画面の一例を示す図であり、（ａ）階層２の通信機能の設定メニュー画面とＧＰＳ機能の設定メニュー画面、（ｂ）階層３の通信の設定メニュー画面とＧＰＳの設定メニュー画面である。
【図６】第２の実施形態における撮像装置の設定画面の一例を示す図であり、（ａ）階層４の設定メニュー画面、（ｂ）階層５の転送画像タイプのメニュー画面、（ｃ）階層６の転送画像タイプのメニュー画面である。
【図７】第３の実施形態における撮像装置の設定画面の一例を示す図であり、（ａ）階層１の設定メニュー画面、（ｂ）階層２のＧＰＳ機能の設定メニュー画面、（ｃ）階層３のＧＰＳ機能の設定メニュー画面である。
【図８】（ａ）第４の実施形態における撮像装置にて撮影された画像データの構成例を示す図、（ｂ）図８（ａ）のメタデータの一例を示す図である。
【図９】第４の実施形態における撮像装置にて表示される画面の一例を示す図であり、（ａ）所有者情報／著作権情報の登録メニュー画面、（ｂ）カメラ所有者名の登録メニュー画面である。
【図１０】第４の実施形態における撮像装置の設定画面の一例を示す図であり、（ａ）階層１の設定メニュー画面、（ｂ）階層２の通信機能の設定メニュー画面、（ｃ）階層３の通信機能の設定メニュー画面である。
【図１１】第１の実施形態における撮像装置の動作を示すフローチャートである。
【図１２】第３の実施形態における撮像装置の動作を示すフローチャートである。
【発明を実施するための形態】
【００１０】
以下、本発明の実施の形態を図面を参照して詳細に説明する。
【００１１】
［第１の実施形態］
図１は、本発明の第１の実施形態に係る撮像装置の概略構成を示すブロック図である。
【００１２】
図１の撮像装置１００は、例えばデジタルカメラ等から成り、図示のような構成部を備える。
【００１３】
図１において、１２３は撮像装置本体の制御を行う制御部であり、電源制御、スイッチ制御、レンズ制御、測光、測距制御、シャッター制御、及び無線通信の制御等を行う。
【００１４】
制御部１２３には、バッテリーを電源とする電源回路１１９と、撮影の開始を２段ストロークで指示するレリーズボタンＳＷ１，ＳＷ２（不図示）が接続されている。また、制御部１２３には、後述するＧＵＩ（グラフィカル・ユーザ・インターフェース）を操作するメニューボタンなどのスイッチアレイである操作部材１２２と、発振回路１２５と、無線通信回路１０２と、焦点検出回路１０３と、測光回路１０４が接続されている。さらに、制御部１２３には、ＧＰＳ受信器１０５と、ミラー制御回路１０７と、シャッター制御回路１０８と、モータ制御回路１０９等が接続されている。
【００１５】
また、制御部１２３は、交換可能な撮影レンズの本体内に配置されたレンズマイコン１２６とマウント接点を介して信号の伝達がなされる。
【００１６】
焦点検出回路１０３は、制御部１２３の信号に従い、測距センサ（不図示）の蓄積制御と読み出し制御を行って、ぞれぞれの画素情報を制御部１２３に出力し、周知の位相差検出法による焦点検出を行う。制御部１２３は、焦点検出回路１０３からの焦点検出情報によりレンズマイコン１２６と信号のやりとりを行ってレンズの焦点調節（ＡＦ）を行う。
【００１７】
測光回路１０４は、被写体の輝度信号として、測光センサ（不図示）からの輝度信号出力を制御部１２３に出力し、周知の絞り値の演算とシャッタースピードの演算などの露出演算を行う（ＡＥ）。
【００１８】
シャッター制御回路１０８は、制御部１２３からの信号に従って、フォーカルプレンシャッターを構成する２つのシャッター駆動マグネットを制御し、シャッター幕を走行させ、露光動作を担っている。
【００１９】
ＳＷ１（不図示）はレリーズ釦の第１ストロークでＯＮし、ＡＥ、ＡＦを開始するスイッチとなる。ＳＷ２（不図示）はレリーズ釦の第２ストロークでＯＮし、露光動作を開始するスイッチとなる。ＳＷ１、ＳＷ２及びその他カメラの操作部材からの信号は、制御部１２３が検知する。
【００２０】
ＧＰＳ受信器１０５は、ＧＰＳアンテナ１０６を介してＧＰＳ衛星（不図示）から衛星信号を受信し、撮像装置１００の位置情報を取得することが可能である。取得した位置情報は、制御部１２３により画像データに付加情報として記録される。本実施形態では、画像データはＥＸＩＦ形式のファイルとして生成され、そのファイルのメタデータとして位置情報が付加される。
【００２１】
制御部１２３は、デジタル画像処理を行う画像処理エンジンを備え、各種制御を行う。制御部１２３は、タイミングジェネレータ（ＴＧ）１１２を介して撮像センサ１１１の蓄積制御、読み出し制御を行う。読み出された画像信号は、ＡＤコンバータ（ＡＤ）１１３によりアナログ＝デジタル変換され、既知の色補完処理やホワイトバランス処理、ガンマ処理等の現像処理が行われ、最終的にＪＰＥＧ等のデジタル画像データに変換される。そして、揮発性メモリであるＤＲＡＭ１１７に一時保存される。また、変換された画像データは、表示装置１１５にクイックレビュー表示され、画像ファイルとして記録媒体１１６へ記録される。
【００２２】
表示装置１１５には、制御部１２３により撮像装置１００の設定を行うためメニュー画面が表示され、操作部材１２２を用いて撮像装置の各種設定、通信機能の設定、及びＧＰＳ受信器の設定などを対話形式で指示することが可能なＧＵＩを構成する。
【００２３】
撮像装置１００は、無線通信回路１０２を用いて、無線アンテナ１０１を介してネットワーク上の通信装置（不図示）と通信を行うことが可能であり、撮影された位置情報付きの画像データを通信装置に転送することが可能である。また、制御部１２３は、外部インターフェース１１４により外部の装置と接続して通信を行うことが可能である。また、制御部１２３は、不揮発性メモリ（ＦＲＯＭ）１１８に接続されている。
【００２４】
本実施形態では、撮像装置１００は、ネットワーク上の通信装置であるサーバ等の情報機器と無線ＬＡＮで接続されるとして説明するが、これに限定されるわけではない。例えば、３Ｇ回線等の公衆網を介して通信する機能を備えていてもよい。この場合は、撮像装置１００の近くにアクセスポイント（ＡＰ）が無くとも通信できるため、より通信しやすくなる。
【００２５】
次に、図１における表示装置１１５に表示される撮像装置１００の設定画面を図２（ａ）〜図２（ｃ）を参照して説明する。
【００２６】
図２（ａ）は、第１の実施形態における撮像装置１００の表示装置１１５に表示される設定メニュー画面の一例を示す図である。
【００２７】
設定メニュー画面２００では、メニュータブ２００ａのうち、「撮影」、「再生」、「ＡＦ」、「設定」のいずれかを選択して、それらの項目について詳細な設定を行うことができる。
【００２８】
設定メニュー画面２００におけるメニュー項目（設定項目）として、「バッテリー情報」２０１、「通信機能の設定」２０２、及び「ＧＰＳ機能の設定」２０３が表示されている。「バッテリー情報」２０１は、撮像装置１００のバッテリーの状況を表示するためのメニュー項目である。「通信機能の設定」２０２は、撮像装置１００をネットワークへ参加するための設定や、画像データの転送先等を設定するためのメニュー項目である。「ＧＰＳ機能の設定」２０３は、ＧＰＳの動作条件の設定等を行うためのメニュー項目である。ユーザは、操作部材１２２を操作して設定メニュー画面２００上のカーソル２０４を上下方向に移動させることで、３つのメニュー項目のいずれかを選択することが可能である。図示例では、「通信機能の設定」２０２が選択されている状態にある。
【００２９】
ここで、「通信機能の設定」２０２について説明する。
【００３０】
「通信機能の設定」２０２が選択された状態で、例えば操作部材１２２に含まれる決定ボタンの押下が検知された場合、通信機能の設定の画面へ遷移する指示が受け付けられる。この結果、表示装置１１５に表示される画面は、図２（ｂ）に示す通信機能の設定メニュー画面２００ｂに遷移する。なお、以降の説明では、記載が煩雑になることを防ぐため、カーソルの移動による項目の選択のみならず、項目が選択された状態での決定ボタンの押下による指示の入力も併せて、「項目を選択する」と記載する。本実施形態では、設定画面が階層的に表示される構成になっており、図２（ａ）に示す設定メニュー画面２００が階層１、図２（ｂ）に示す通信機能の設定メニュー画面２００ｂやＧＰＳ機能の設定メニュー画面２００ｄが１階層下の階層２となる。さらに、図２（ｃ）に示す通信の設定メニュー画面２００ｃやＧＰＳの設定メニュー画面２００ｅがさらに１階層下の階層３となる。
【００３１】
図２（ｂ）において、通信機能の設定メニュー画面２００ｂにおけるメニュー項目として、「通信機能」２０５、「通信の設定」２０６、及び「ＧＰＳ情報」２０７が表示されている。「戻る」ボタン２０８は、上位階層のメニュー画面に戻るための選択アイコンである。
【００３２】
「通信機能」２０５では、ユーザは操作部材１２２を介して、通信を「使う」、「使わない」を選択することが可能である。「使う」が選択されている場合、撮像装置１００では無線通信回路１０２が有効になる。すなわち、予めユーザにより設定された情報に基づいて、無線通信回路１０２を用いてネットワーク上の情報機器（不図示）と通信することが可能になる。図示例では、「通信機能」２０５において、「使う」が選択されている状態にある。なお、このメニュー項目における設定の選択は、例えば、所定の項目にカーソルを合わせた状態（つまり所定の項目が選択された状態）で決定ボタンの押下を検知することで、プルダウンメニューを表示して、ユーザに選択を促すようにしてもよい。または、所定の項目にカーソルを合わせた状態で、操作部材１２２に含まれる方向キーの左右の押下により選択を切り替えてもよい。あるいは、「通信機能」２０５のように「使う」と「使わない」の二択の場合は、所定の項目にカーソルを合わせた状態で決定ボタンの押下を検知することで、「使う」と「使わない」を交互に切り替えるトグルスイッチとしてもよい。
【００３３】
「通信の設定」２０６は、無線ＬＡＮ、ネットワーク、転送先のサーバ指定等の設定を行うためのメニュー項目である。ユーザは、操作部材１２２を用いて通信機能の設定メニュー画面２００ｂ上のカーソル２０４を上下方向に移動させることで、３つのメニュー項目のいずれかを選択されている状態にすることが可能である。図示例では、「通信の設定」２０６が選択されている状態にある。ユーザが「通信の設定」２０６を選択した状態で決定ボタンを押下した場合、通信機能の設定メニュー画面２００ｂの１階層下にある図２（ｃ）に示す通信の設定メニュー画面２００ｃに遷移する。
【００３４】
図２（ｃ）において、通信の設定メニュー画面２００ｃにおけるメニュー項目として、「接続ウィザード」２０９、「設定」２１０が表示されている。「戻る」ボタン２０８は、上位階層のメニュー画面に戻るための選択アイコンである。
【００３５】
「接続ウィザード」２０９は、無線ＬＡＮの接続に関するＳＳＩＤ、暗号等の設定、ネットワークに参加するためのＩＰアドレスの設定等、画像データの転送先の指定や通信モード等をユーザに手順を示しながら設定させるためのメニュー項目である。ネットワーク上で情報機器（不図示）と接続してデータを送受信する通信モードは、例えば、ＦＴＰ、ＨＴＴＰ、ＰＴＰ等のプロトコルを用いたモードがある。なお、情報装置との通信モードは、これらに限定されるわけではない。なお、「接続ウィザード」２０９を使用することなく、ユーザが無線ＬＡＮ、ネットワーク、転送先等の各項目を手動で設定することも可能であるが、その詳細な説明については省略する。
【００３６】
「設定」２１０は、無線ＬＡＮやネットワーク、転送先の情報機器等の各種設定されている内容を確認するためのメニュー項目である。
【００３７】
次に、「ＧＰＳ機能の設定」２０３について説明する。
【００３８】
ユーザが設定メニュー画面２００上で「ＧＰＳ機能の設定」２０３を選択した場合、図２（ｂ）に示すＧＰＳ機能の設定メニュー画面２００ｄに遷移する。
【００３９】
図２（ｂ）において、ＧＰＳ機能の設定メニュー画面２００ｄにおけるメニュー項目として、「ＧＰＳ機能」２１１、「ＧＰＳの設定」２１２が表示されている。「戻る」ボタン２０８は、上位階層のメニュー画面に戻るための選択アイコンである。
【００４０】
「ＧＰＳ機能」２１１では、ＧＰＳ機能を「使う」、「使わない」を選択することが可能である。「使う」が選択されると、撮像装置１００はＧＰＳ受信器１０５を用いて、撮像装置１００の位置情報を取得する機能が有効になる。図示例では、「使う」が選択されている状態にある。なお、後述するが、ＧＰＳ機能を「使わない」が選択されている場合、ユーザが設定メニュー画面２００上で「ＧＰＳ機能の設定」２０３を選択すると、後述する図７（ｂ）に示すＧＰＳ機能の設定メニュー画面６００ｄに遷移する。
【００４１】
「ＧＰＳの設定」２１２は、ＧＰＳの動作条件の設定を行うためのメニュー項目である。ユーザは、操作部材１２２を用いてＧＰＳ機能の設定メニュー画面２００ｄ上のカーソル２０４を上下方向に移動させることで、２つのメニュー項目のいずれかを選択された状態にすることが可能である。図示例では、「ＧＰＳの設定」が選択されている状態にある。ユーザが「ＧＰＳの設定」を選択された状態で決定ボタンが押下した場合、画面の表示は、１階層下の図２（ｃ）に示すＧＰＳの設定メニュー画面２００ｅに遷移する。
【００４２】
図２（ｃ）において、ＧＰＳの設定メニュー画面２００ｅにおけるメニュー項目として、「位置情報の更新間隔」２１３、「ＧＰＳ情報の表示」２１４、「ＧＰＳ情報」２１５、及び「ロガー」２１６が表示されている。「戻る」２０８は、上位階層のメニュー画面に戻るための選択アイコンである。
【００４３】
「位置情報の更新間隔」２１３は、ＧＰＳ受信器１０５から位置情報を取得する時間間隔を指定するためのメニュー項目であり、その時間間隔を長くすることで、ＧＰＳ受信器１０５は消費電力を低下させて動作する期間を長くすることが可能となる。
【００４４】
「ＧＰＳ情報の表示」２１４は、ＧＰＳ受信器１０５が受信している衛星の状態、緯度・経度等の位置情報などが確認できるメニュー項目である。
【００４５】
「ＧＰＳ情報」２１５は、ＧＰＳ受信器１０５が受信して測位した位置情報を制御部１２３により画像データに付加情報として記録するか否かを選択可能とするためのメニュー項目である。図示例では、「付加する」が選択されている状態にある。
【００４６】
「ロガー」２１６は、ＧＰＳ受信器１０５が受信して測位した位置情報を連続した軌跡データとして記録するか否かをユーザが指示するためのメニュー項目である。軌跡データは記録媒体に記録される。記録媒体としては、撮像装置内のメモリや着脱可能な記録媒体等があるが、これに限られるわけでない。
【００４７】
次に、図２（ｂ）に示す通信機能の設定メニュー画面２００ｂ上の「ＧＰＳ情報」２０７について図３（ａ）〜図３（ｃ）を用いて説明をする。
【００４８】
図３（ａ）に示す設定メニュー画面２００は、図２（ａ）に示す設定メニュー画面２００と同じである。
【００４９】
図３（ａ）に示す設定メニュー画面２００にてユーザが「通信機能の設定」２０２を選択した場合、図３（ｂ）に示す１階層下の通信機能の設定メニュー画面２００ｂまたは通信機能の設定メニュー画面３００ｄに遷移する。
【００５０】
通信機能の設定メニュー画面３００ｄは、「通信機能」２０５のメニュー項目において、通信を「使わない」が選択されているときのメニュー画面である。この場合、制御部１２３は、「通信の設定」、「ＧＰＳ情報」のメニュー項目が選択できないように、これらのメニュー項目を表示しないように制御する。
【００５１】
一方、「通信機能」２０５のメニュー項目において、通信を「使う」が選択されているときに表示されるのが、通信機能の設定メニュー画面２００ｂである。この場合、制御部１２３は、「通信の設定」２０６、「ＧＰＳ情報」２０７のメニュー項目が選択できるように、これらのメニュー項目を表示するように制御する。
【００５２】
このように、メニュー項目「通信機能」２０５にて、通信を「使う」、「使わない」の選択により通信機能の設定メニュー画面２００ｂと通信機能の設定メニュー画面３００ｄの遷移が行われる。
【００５３】
通信機能の設定メニュー画面２００ｂに表示され選択可能となるメニュー項目「ＧＰＳ情報」２０７は、ＧＰＳ受信器１０５が受信した位置情報を制御部１２３により画像データに付加情報として記録するか否かを選択可能とするためのメニュー項目である。ユーザは、操作部材１２２を用いて通信機能の設定メニュー画面２００ｂ上のカーソル２０４を上下方向に移動させて「ＧＰＳ情報」２０７を選択することで、図３（ｃ）に示す通信機能の設定メニュー画面３００ｃに遷移する。
【００５４】
図３（ｃ）において、通信機能の設定メニュー画面３００ｃでは、ＧＰＳ情報を「付加する」３０１、「付加しない」３０２を選択することが可能である。図示例では、「付加しない」３０２が選択されている状態にある。
【００５５】
なお、図３（ｂ）に示すメニュー項目「ＧＰＳ情報」２０７は、図２（ｂ）に示すＧＰＳ機能の設定メニュー画面２００ｄの階層下にあるＧＰＳの設定メニュー画面２００ｅにおける「ＧＰＳ情報」２１５と同等の項目である。
【００５６】
このように通信機能を「使う」が選択されている場合、通信機能の設定メニュー画面２００ｂに「ＧＰＳ情報」２０７を選択可能とするのは、ユーザが通信機能の設定を行う際にＧＰＳ情報が付加された画像データが転送される可能性の認識を容易にするためである。
【００５７】
続いて、上述の図２及び図３のうち、通信機能に関する画面遷移を実現するための撮像装置１００の動作について説明する。
【００５８】
図１１は、通信機能を設定する際の撮像装置１００の動作を示すフローチャートである。このフローチャートに示される処理は、制御部１２３が、不図示のメモリから読み出したプログラムを、展開、実行することにより実現される。また、このフローチャートに示される処理は、例えば制御部１２３が、操作部材１２２を介してユーザから通信機能の設定の画面を表示する指示が入力されたと判断することに応じて開始される。なお、この指示は、前述の通り、図３（ａ）の設定メニュー画面２００の項目２０２を選択した状態で決定ボタンの押下が検知されることにより、入力される。
【００５９】
最初に、ステップＳ１１０１では、制御部１２３は、既に通信機能がＯＮであるか否かを判断する。制御部１２３が、通信機能がＯＮであると判断した場合、処理はステップＳ１１０５に進む。制御部１２３が、通信機能がＯＮでないと判断した場合、処理はステップＳ１１０２に進む。
【００６０】
まず、制御部１２３が、通信機能がＯＮでないと判断した場合について説明する。
【００６１】
ステップＳ１１０２では、通信機能のＯＮ／ＯＦＦを切り替えるための項目のみが表示される通信機能の設定メニューが表示される。すなわち、図３（ｂ）の通信機能の設定メニュー画面３００ｄのような画面が表示装置１１５に表示される。また、この表示に併せて、ユーザからの指示を受け付ける。ここでは、通信機能のＯＮ／ＯＦＦを切り替える指示を受け付ける。また、前の画面に遷移するための指示を受け付ける。
【００６２】
続くステップＳ１１０３及びステップＳ１１０４にて、制御部１２３は、ユーザから受け付けた指示を判断する。ステップＳ１１０３にて制御部１２３が、ユーザから受け付けた指示が、前の画面に遷移するための指示であると判断した場合、本フローチャートの処理を抜けて、前の画面、即ち、図３（ａ）の設定メニュー画面２００を表示するための処理に遷移する。ステップＳ１１０４にて、制御部１２３が、ユーザから受け付けた指示が、通信機能のＯＮへの切り替えであると判断した場合、処理はステップＳ１１０５に進む。
【００６３】
なお、ステップＳ１１０３およびステップＳ１１０４でいずれもＮＯである場合、制御部１２３は指示を受け付けていないと判断し、ステップＳ１１０２に戻り、ＧＰＳ機能の設定メニュー画面３００ｄの表示を継続する。
【００６４】
次に、ステップＳ１１０５以降の処理について説明する。
【００６５】
ステップＳ１１０５では、制御部１２３は、通信機能のＯＮ／ＯＦＦを切り替えるための項目に加えて、通信のためのパラメータを設定するための画面を表示するための項目およびＧＰＳに関する設定の画面を表示するための項目が含まれた画面を表示する。この結果、例えば図３（ｂ）の通信機能の設定メニュー画面２００ｂのような画面が表示装置１１５に表示されることになる。また、この表示に併せて、ユーザからの指示を受け付ける。ここでは、通信機能のＯＮ／ＯＦＦを切り替える指示、前の画面に遷移するための指示に加えて、通信のためのパラメータを設定するための画面を表示する指示と、ＧＰＳに関する設定の画面を表示する指示も受け付ける。
【００６６】
続くステップＳ１１０６〜ステップＳ１１０９にて、制御部１２３は、ユーザから受け付けた指示を判断する。ステップＳ１１０６にて、制御部１２３が、ユーザから受け付けた指示が、前の画面に遷移するための指示であると判断した場合、本フローチャートの処理を抜けて、前の画面、即ち、図２（ａ）の設定メニュー画面２００を表示するための処理に遷移する。
【００６７】
ステップＳ１１０７にて制御部１２３が、ユーザから受け付けた指示が、通信機能のＯＦＦへの切り替えであると判断した場合、処理はステップＳ１１０２に進む。
【００６８】
ステップＳ１１０８にて制御部１２３が、ユーザから受け付けた指示が、通信パラメータを設定するための画面へ遷移する指示であると判断した場合、処理はステップＳ１１１０に進む。
【００６９】
ステップＳ１１１０では、制御部１２３は、通信パラメータを設定するための画面を表示装置１１５に表示させ、通信パラメータを設定する指示を受け付ける。ここでは、通信パラメータの詳細な設定方法についての説明は省略する。その後、処理はステップＳ１１０５に戻る。
【００７０】
ステップＳ１１１０で制御部１２３が、ＧＰＳ設定画面への遷移を受け付けたと判断した場合、処理はステップＳ１１１１に進む。
【００７１】
ステップＳ１１１１では、制御部１２３は、ＧＰＳ機能に関する設定のための画面を表示装置１１５に表示させ、ＧＰＳの機能に関する設定の指示を受け付ける。具体的には、撮像装置１００にて撮像される画像に位置情報を付加するか否かの指示を受け付ける。このように、通信機能に関するメニューに入っていながらにして、ＧＰＳ機能に関する設定を行うための画面にも遷移することができる。その後、処理はステップＳ１１０５に戻る。
【００７２】
なお、ステップＳ１１０６〜ステップＳ１１０９でいずれもＮＯである場合、制御部１２３は指示を受け付けていないと判断し、ステップＳ１１０５に戻り、ＧＰＳ機能の設定メニュー画面３００ｄの表示を継続する。
【００７３】
以上が、通信機能を設定する際の動作の説明である。
【００７４】
このようにして設定した通信機能やＧＰＳの機能は、例えば撮像装置１００で撮像が行われて生成される画像に位置情報を付加したり、生成された画像を外部装置に送信したりする際に用いられる。
【００７５】
以下では、通信機能およびＧＰＳ機能の利用例として、撮像により、位置情報付きの画像を生成し、予め設定しておいた送信先へ送信する処理について説明する。
【００７６】
図４は、図１の撮像装置１００における撮影処理の流れを示すフローチャートである。図示の処理は、制御部１２３が不図示のメモリ等から読み出したプログラムを実行することによりなされる処理である。
【００７７】
制御部１２３は、撮影動作を指示するスイッチＳＷ２がＯＮか否かを判定し（ステップＳ４０１）、ＳＷ２がＯＮであれば、ＡＥ、ＡＦ、露光処理の一連の撮影処理を開始する（ステップＳ４０２）。撮影処理が終了すると、制御部１２３は、位置情報を付加する設定がなされているか否かを判定する（ステップＳ４０３）。位置情報を付加するか否かの設定は、図２（ａ）〜図２（ｃ）及び図３（ａ）〜図３（ｃ）で説明したメニュー項目「ＧＰＳ情報」２０７，２１５で設定されるものである。位置情報を付加しない場合、制御部１２３は位置情報なしのメタデータを生成して（ステップＳ４０４）、ステップＳ４０５へ進む。
【００７８】
ステップＳ４０３で制御部１２３が位置情報を付加する設定がされていると判定した場合は、位置情報があるか否か、すなわちＧＰＳ受信器１０５より有効な位置情報を受信出来ているか否かを判定する（ステップＳ４０９）。有効な位置情報が無い場合はステップＳ４０４へ進む。一方、位置情報がある場合はステップＳ４１０に進み、制御部１２３が位置情報ありのメタデータを生成して、ステップＳ４０５へ進む。有効な位置情報がない場合としては、まずＧＰＳ機能が、「使わない」に設定されており、無効である状態が考えられる。この場合、ＧＰＳ受信器１０５は動作していないので、当然有効な位置情報は取得できていないことになる。また、ＧＰＳ機能が「使う」に設定されていても、屋内等、ＧＰＳ衛星からの電波を受信しにくい状況でも、同様に有効な位置情報が取得できない場合が生じ得る。
【００７９】
ステップＳ４０５では、制御部１２３は、生成したメタデータとデジタル画像データから画像ファイルを生成する。生成した画像ファイルは、記録媒体１１６に記録保存処理が行われる（ステップＳ４０６）。
【００８０】
ステップＳ４０７では、制御部１２３は、生成した画像ファイルを転送するか否かを判定する。転送すると判定した場合、制御部１２３が無線通信回路１０２を使用してネットワーク上の所定の情報装置に、生成した画像ファイルの転送を開始し、一連の撮影処理を終了する。転送しないと判定した場合は、転送することなく、一連の撮影処理を終了する。なお、本ステップでの、転送する・しないの判断は、通信設定の「接続ウィザード」２０９から遷移する処理にて、予め所定の送信先に送信することを設定されているか否かを参照することで行われる。
【００８１】
以上が、通信機能及びＧＰＳ機能の利用例の説明である。
【００８２】
なお、本実施形態では、撮影処理を画像データの転送開始の指示としているが、撮影とは関係なく、記録媒体１１６に記録されている画像データをユーザが選択して転送開始を指示する構成でもよく、転送開始の指示や方法を限定するわけではない。
【００８３】
上記第１の実施形態によれば、画像データを外部に転送する通信機能を設定するための設定画面上に、画像データに位置情報を付加するか否かを設定できるように構成する。これにより、ユーザが位置情報を付加された画像データが転送される可能性の認識を容易にさせることが可能である。また、位置情報の付加を設定するために何回もメニューを階層的に操作することが不要で、迅速に設定を行うことが可能である。
【００８４】
［第２の実施形態］
次に、本発明の第２の実施形態に係る撮像装置について説明する。なお、本実施形態における撮像装置１００の要部構成は、上述した第１の実施形態と同様であるので、それらの説明を省略する。
【００８５】
第２の実施形態は、上記第１の実施形態に対して、通信の詳細な設定を行うための設定画面の階層下にある転送画像タイプを設定するための設定画面にて画像データの位置情報の付加設定が可能になっている点が異なる。
【００８６】
ユーザが図２（ａ）に示す「通信機能の設定」２０２を選択した場合、図５（ａ）に示す通信機能の設定メニュー画面５００ｂに遷移する。
【００８７】
図５（ａ）において、通信機能の設定メニュー画面５００ｂにおけるメニュー項目は、図２（ｂ）の通信機能の設定メニュー画面２００ｂに対して「ＧＰＳ情報」２０７が省略されている点が異なる。
【００８８】
通信の設定メニュー画面５００ｂにてユーザが「通信の設定」２０６を選択した場合、通信機能の設定メニュー画面５００ｂの１階層下にある図５（ｃ）に示す通信の設定メニュー画面５００ｃに遷移する。
【００８９】
図５（ｃ）において、通信の設定メニュー画面５００ｃにおけるメニュー項目は、図２（ｃ）の通信機能の設定メニュー画面２００ｃと同じである。
【００９０】
通信の設定メニュー画面５００ｃにてユーザが「設定」２１０を選択した場合、その階層下にある図６（ａ）に示す設定メニュー画面５００ｆに遷移する。
【００９１】
設定メニュー画面５００ｆにおけるメニュー項目には、「設定内容確認」５１７、「ＬＡＮの設定」５１８、及び「転送画像タイプ」５１９が表示されている。「戻る」ボタン２０８は、上位の階層のメニュー画面に戻るための選択アイコンである。
【００９２】
「設定内容確認」５１７は、無線ＬＡＮやネットワーク、転送先の情報機器等の各種設定内容の確認するためのメニュー項目である。
【００９３】
「ＬＡＮの設定」５１８は、「接続ウィザード」５０９を用いずに、無線ＬＡＮやネットワーク、転送先の情報機器を個別に設定・変更するためのメニュー項目である。
【００９４】
「転送画像タイプ」５１９は、転送先である情報装置に転送する画像のタイプを指定するメニュー項目である。
【００９５】
撮像装置１００では、撮像センサ１１１から出力されたデータからそのまま生成されるＲＡＷ画像データと、ＪＰＥＧ形式で圧縮して生成されるＪＰＥＧ画像データの２種が撮影時に生成可能であり、各々が記録媒体１１６に記録される。そのため、メニュー項目「転送画像タイプ」５１９は、生成されたＲＡＷ画像データ、ＪＰＥＧ画像データについて各々転送するか否かを指定することが可能である。
【００９６】
ユーザが操作部材１２２を用いて設定メニュー画面５００ｆ上のカーソル２０４を上下方向に移動させ、「転送画像タイプ」５１９を選択すると、図６（ｂ）に示す転送画像タイプのメニュー画面５００ｇに遷移する。
【００９７】
図６（ｂ）に示すように、転送画像タイプのメニュー画面５００ｇでは、転送する画像データのタイプとして、ＪＰＥＧ画像データのみ（５２０）、ＲＡＷ画像データのみ（５２１）、ＲＡＷとＪＰＥＧの両方（５２２）の選択が可能に構成されている。図示例では、ＲＡＷとＪＰＥＧの両方を転送する項目が選択された状態を示す。
【００９８】
転送画像タイプのメニュー画面５００ｇでは、メニュー項目「ＧＰＳ情報」５２３は、ＧＰＳ受信器１０５が受信した位置情報を制御部１２３により画像データに付加情報として記録するか否かを選択可能とするためのメニュー項目である。
【００９９】
ユーザは操作部材１２２を用いて転送画像タイプのメニュー画面５００ｇ上のカーソル２０４を上下方向に移動させ、「ＧＰＳ情報」５２３を選択すると、図６（ｃ）に示す転送画像タイプのメニュー画面５００ｈに遷移する。
【０１００】
転送画像タイプのメニュー画面５００ｈでは、画像タイプ毎にＧＰＳ情報を付加する、付加しないを選択することが可能である。図示例では、転送画像タイプとして設定されたＲＡＷ画像データとＪＰＥＧ画像データに関し、ＲＡＷ画像データのみに位置情報を付加する選択がなされている（５２４）。
【０１０１】
このように、ユーザは転送画像タイプごとに位置情報を付加するか否かを選択することが可能である。ユーザは、位置情報を付加したい画像タイプを選択された状態にしたままで、ＯＫボタンを選択することで、選択状態の画像タイプに位置情報を付加する機能を有効にすることができる。
【０１０２】
上記第２の実施形態によれば、サーバ等に転送する画像データのタイプを設定するための設定画面上で、画像データのタイプ毎に位置情報を付加するか否かを設定できるように構成する。これにより、例えば、ＪＰＥＧ画像データをインターネット上で共有、ＲＡＷ画像データを自宅に転送する等、ユーザが画像データの用途に応じて柔軟に位置情報の付加を選択することが可能となる。つまり、共有する画像タイプにはプライベートな情報である位置情報を付加せず、自宅に転送する画像タイプにはプライベートな情報である位置情報を付加するといった利用例が考えられる。また、送信する画像タイプの決定のタイミングで位置情報に関する設定のメニューを表示することで、ユーザが意図せずに位置情報が付いたままの画像を共有してしまう可能性を低減することができる。
【０１０３】
［第３の実施形態］
次に、本発明の第３の実施形態に係る撮像装置について説明する。なお、本実施形態における撮像装置１００の要部構成は、上述した第１の実施形態と同様であるので、それらの説明を省略する。
【０１０４】
第３の実施形態は、上記第１の実施形態に対して、通信機能が有効な状態でＧＰＳ機能の設定メニュー画面の階層に入った際に、メニュー画面の表示に先立って、通信機能が有効であることをユーザに通知する点が異なる。これにより、ユーザは、通信機能が有効であることを知ることができるため、位置情報を画像データに付加してもよいかどうかを、適切に判断することができる。
【０１０５】
図７（ａ）は、第３の実施形態における撮像装置１００の表示装置１１５に表示される設定メニュー画面の一例を示す図である。図示の設定メニュー画面２００は、図２（ａ）に示す設定メニュー画面と同じである。
【０１０６】
まず、通信機能が無効の状態における画面遷移について説明する。
【０１０７】
図７（ａ）に示す設定メニュー画面２００にてユーザが「ＧＰＳ機能の設定」２０３を選択した場合、１階層下の図７（ｂ）に示すＧＰＳ機能の設定メニュー画面２００ｄまたはＧＰＳ機能の設定メニュー画面５００ｄに遷移する。
【０１０８】
図７（ｂ）に示すＧＰＳ機能の設定メニュー画面２００ｄは、上述したように、メニュー項目「ＧＰＳ機能」２１１において、ＧＰＳ機能を「使う」が選択されているときのメニュー画面である。この場合、制御部１２３は、「ＧＰＳの設定」２１２が選択できるように、ＧＰＳ機能の設定メニュー画面２００ｄ上に「ＧＰＳの設定」２１２を表示するように表示制御する。
【０１０９】
一方、図７（ｂ）に示すＧＰＳ機能の設定メニュー画面６００ｄは、メニュー項目「ＧＰＳ機能」２１１において、ＧＰＳ機能を「使わない」が選択されているときのメニュー画面である。この場合、制御部１２３は、「ＧＰＳの設定」２１２が選択できないように、ＧＰＳ機能の設定メニュー画面６００ｄ上に「ＧＰＳの設定」２１２を表示しないように表示制御する。
【０１１０】
このように、メニュー項目「ＧＰＳ機能」２１１におけるＧＰＳ機能を「使う」、「使わない」の選択により、ＧＰＳ機能の設定メニュー画面２００ｄまたはＧＰＳ機能の設定メニュー画面６００ｄへの遷移が行われる。
【０１１１】
続いて、通信機能が有効の状態における画面遷移について説明する。
【０１１２】
通信機能が有効かつＧＰＳ機能もＯＮに設定されている状態で、図７（ａ）の設定メニュー画面２００で「ＧＰＳ機能の設定」２０３が選択された場合、１階層下の図７（ｂ）のＧＰＳ機能の設定メニュー画面２００ｄではなく、図７（ｃ）のＧＰＳ機能の設定メニュー画面６００ｃの画面が表示装置１１５に表示される。
【０１１３】
ＧＰＳ機能の設定メニュー画面６００ｃには、通信機能が「使う」に設定されているため、画像にＧＰＳ情報を付加するかをユーザに告知する説明（６１３）と、付加するか否かを設定するための「しない」ボタン６１４、「する」ボタン６１５が配置されている。図示例では、「しない」ボタン６１４が選択され、位置情報（ＧＰＳ情報）を付加しない設定がなされている状態にある。
【０１１４】
ユーザは、上述した画面上で撮像する際に画像データに対して位置情報を付加するか否かを選択することが可能である。このように、ユーザが、ＧＰＳ機能を「使う」と設定した場合、「通信機能の設定」の状態に応じて、メニュー表示に入る前に、通信機能が有効であることをユーザに伝えると共に位置情報を付加するか否かの設定画面を表示する。これにより、ユーザは、ＧＰＳ情報を付加された画像データが転送される可能性があることを認識することができる。
【０１１５】
上述の図７（ａ）〜図７（ｃ）の画面遷移を実現する際の撮像装置１００の動作を示すフローチャートを図１２に示す。このフローチャートに示される処理は、制御部１２３が、不図示のメモリから読み出したプログラムを、展開、実行することにより実現される。また、このフローチャートに示される処理は、例えば制御部１２３が、操作部材１２２を介してユーザから通信機能の設定の画面を表示する指示が入力されたと判断することに応じて開始される。なお、この指示は、前述の通り、図２（ａ）の設定メニュー画面２００の項目２０３を選択した状態で決定ボタンの押下が検知されることにより、入力される。
【０１１６】
最初に、ステップＳ１２０１では、制御部１２３は、既にＧＰＳ機能がＯＮであるか否かを判断する。制御部１２３が、ＧＰＳ機能がＯＮであると判断した場合、処理はステップＳ１２０５に進む。制御部１２３が、ＧＰＳ機能がＯＮでないと判断した場合、処理はステップＳ１２０２に進む。
【０１１７】
まず、制御部１２３が、ＧＰＳ機能がＯＮでないと判断した場合について説明する。
【０１１８】
ステップＳ１２０２では、ＧＰＳ機能のＯＮ／ＯＦＦを切り替えるための項目のみが表示されるＧＰＳ機能の設定メニューが表示される。すなわち、図７（ｂ）のＧＰＳ機能の設定メニュー画面６００ｄのような画面が表示装置１１５に表示される。また、この表示に併せて、ユーザからの指示を受け付ける。ここでは、ＧＰＳ機能のＯＮ／ＯＦＦを切り替える指示を受け付ける。また、前の画面に遷移するための指示を受け付ける。
【０１１９】
続くステップＳ１２０３およびステップＳ１２０４にて、制御部１２３は、ユーザから受け付けた指示を判断する。ステップＳ１２０３にて制御部１２３が、ユーザから受け付けた指示が、前の画面に遷移するための指示であると判断した場合、本フローチャートの処理を抜けて、前の画面、即ち、図２（ａ）の設定メニュー画面２００を表示するための処理に遷移する。また、ステップＳ１２０４にて、制御部１２３が、ユーザから受け付けた指示が、ＧＰＳ機能のＯＮへの切り替えであると判断した場合、処理はステップＳ１２０５に進む。
【０１２０】
なお、ステップＳ１２０３およびステップＳ１２０４でいずれもＮＯである場合、制御部１２３は指示を受け付けていないと判断し、ステップＳ１２０２に戻り、ＧＰＳ機能の設定メニュー画面６００ｄの表示を継続する。
【０１２１】
次に、ステップＳ１２０５以降の処理について説明する。
【０１２２】
ステップＳ１２０５では、制御部１２３は、通信機能が有効になっているか否かを判断する。例えば、通信メニューにおける通信機能が「使う」に設定されている場合、制御部１２３は、通信機能が有効であると判断する。一方、通信メニューにおける通信機能が「使わない」に設定されている場合、制御部１２３は、通信機能が有効でないと判断する。
【０１２３】
制御部１２３が、通信機能が有効でないと判断した場合、処理はステップＳ１２１０に進み、ＧＰＳ機能のメニューを表示する。一方、制御部１２３が、通信機能が有効であると判断した場合、処理はステップＳ１２０６に進む。
【０１２４】
ステップＳ１２０６では、制御部１２３は、ＧＰＳ機能のメニューの表示に先立って、通信機能が有効になっていることを通知するためのメッセージを表示する。これに併せて、通信機能により外部に出力される画像に位置情報を付加するか否かの設定も受け付ける。ユーザは、操作部材１２２を介して、ボタン６１４を選択することにより、通信機能により外部に出力される画像に位置情報を付加しないようにする指示を入力することができる。また、ユーザは、ボタン６１５を選択することにより、通信機能により外部に出力される画像に位置情報を付加する指示を入力することができる。
【０１２５】
ステップＳ１２０７では、制御部１２３は、受け付けた指示を判断する。制御部１２３が、ボタン６１４が選択された状態でＯＫボタンが選択されたことを検知した場合、処理はステップＳ１２０８に進み、制御部１２３は、通信機能により外部に出力される画像に位置情報を付加しないよう設定する。一方、制御部１２３が、ボタン６１５が選択された状態でＯＫボタンが選択されたことを検知した場合、処理はステップＳ１２０９に進み、制御部１２３は、通信機能により外部に出力される画像に位置情報を付加するよう設定する。
【０１２６】
続くステップＳ１２１０では、制御部１２３は、ＧＰＳ機能のＯＮ／ＯＦＦを切り替えるための項目に加えて、ＧＰＳに関する設定の画面を表示するための項目が含まれた画面を表示する。この結果、例えば図７（ｂ）のＧＰＳ機能の設定メニュー画面２００ｄのような画面が表示装置１１５に表示されることになる。また、この表示に併せて、ユーザからの指示を受け付ける。ここでは、ＧＰＳ機能のＯＮ／ＯＦＦを切り替える指示、前の画面に遷移するための指示に加えて、ＧＰＳに関する設定の画面を表示する指示も受け付ける。
【０１２７】
続くステップＳ１２１１〜ステップＳ１２１３にて、制御部１２３は、ユーザから受け付けた指示を判断する。
【０１２８】
ステップＳ１２１１にて、制御部１２３が、ユーザから受け付けた指示が、前の画面に遷移するための指示であると判断した場合、本フローチャートの処理を抜けて、前の画面、即ち、図２（ａ）の設定メニュー画面２００を表示するための処理に遷移する。
【０１２９】
次に、ステップＳ１２１２にて制御部１２３が、ユーザから受け付けた指示が、ＧＰＳ機能のＯＦＦへの切り替えであると判断した場合、処理はステップＳ１２０２に進む。
【０１３０】
ステップＳ１２１３で制御部１２３が、ＧＰＳ設定画面への遷移を受け付けたと判断した場合、処理はステップＳ１２１４に進む。
【０１３１】
ステップＳ１２１４では、制御部１２３は、ＧＰＳ機能に関する設定のための画面を表示装置１１５に表示させ、ＧＰＳの機能に関する設定の指示を受け付ける。具体的には、撮像装置１００にて撮像される画像に位置情報を付加するか否かの指示や、外部に転送する画像に位置情報を付加するか否かの指示を受け付ける。その後、処理はステップＳ１２１０に戻る。
【０１３２】
なお、ステップＳ１２１１〜ステップＳ１２１３でいずれもＮＯである場合、制御部１２３は指示を受け付けていないと判断し、ステップＳ１２１０に戻り、ＧＰＳ機能の設定メニュー画面２００ｄの表示を継続する。
【０１３３】
以上が、ＧＰＳ機能を設定する際の動作の説明である。
【０１３４】
上記第３の実施形態によれば、通信機能を設定状態に応じて、ＧＰＳ機能の設定メニュー画面２００ｄの階層下でＧＰＳ機能を使う設定にした場合に位置情報を付加するか否かを設定できるようにする。これにより、ユーザが位置情報を付加された画像データが転送される可能性の認識を容易にさせることが可能である。また、位置情報の付加の設定するために何回もメニューを階層的に操作することが不要で、迅速に設定を行うことが可能である。
【０１３５】
［第４の実施形態］
上記第１〜第３の実施形態では、画像データに付加する情報が位置情報である場合について説明したが、位置情報に限定されるものではない。
【０１３６】
図８（ａ）は、撮像装置１００にて撮影された画像データの構成例を示す図である。
【０１３７】
撮像装置１００にて撮影された画像データ７００は、静止画または動画からなる画像データ本体７０２と、画像に付加されるメタデータ７０１とで構成される。
【０１３８】
図８（ｂ）は、図８（ａ）のメタデータの一例を示す図である。メタデータには、撮影日時、撮像装置１００の所有者を表すカメラ所有者名、画像データの著作権を示す著作権情報、位置情報である緯度、経度情報等が含まれる。
【０１３９】
本実施形態では、撮像装置１００の所有者名や著作権情報等のデータを、ユーザが撮像装置１００上の操作部材１２２を操作することで登録が可能である。
【０１４０】
図９（ａ）は、撮像装置１００の表示装置１１５に表示される所有者情報／著作権情報の登録メニュー画面の一例を示す図である。
【０１４１】
図９（ａ）において、所有者情報／著作権情報の登録メニュー画面８００ａでは、撮像装置１００の所有名の登録・変更する指示を行うためのメニュー項目「所有者名入力」８０１が配置されている。また、著作権者名を登録・変更する指示を行うためのメニュー項目「著作権者名入力」８０２が配置されている。さらに、著作権情報を登録・変更する指示を行うためのメニュー項目「著作権情報入力」８０３が配置されている。図示の登録メニュー画面８００ａで登録された情報（所有者名、著作権者名、著作権情報等）は、撮像装置１００で撮影された画像データにメタデータとして付加される。
【０１４２】
図９（ｂ）は、撮像装置１００の表示装置１１５に表示されるカメラ所有者名の登録メニュー画面の一例を示す図である。
【０１４３】
ユーザによって操作部材１２２が操作され、所有者情報／著作権情報の登録メニュー画面８００ａ上のメニュー項目「カメラ所有名入力」８０１が選択されると、図示のカメラ所有者名の登録メニュー画面８００ｂに遷移する。
【０１４４】
図９（ｂ）において、カメラ所有者名の登録メニュー画面８００ｂでは、撮像装置１００のカメラ所有者名が表示されるカメラ所有者名の表示部８０４が配置されている。８０５は英数文字を入力するためのソフトウェアキーボードであり、操作部材１２２によりカーソルを動かし、任意の文字入力を指示することが可能である。カメラ所有者名の入力が完了し、「ＯＫ」アイコン８０６が押下されると、カメラ所有者名の表示部８０４に表示されたカメラ所有者名のデータが不揮発性メモリ（ＦＲＯＭ）１１８に記憶される。図示例では、カメラ所有者名として「Ｔａｒｏ」が表示されている。
【０１４５】
「キャンセル」アイコン８０７が押下された場合は、カメラ所有者名の登録を中止し、所有者情報／著作権情報の登録メニュー画面８００ａに遷移する。なお、著作権者名と著作権情報の登録方法は、上述したカメラ所有者名の登録方法と同じである。
【０１４６】
図１０（ａ）は、第４の実施形態における撮像装置１００の表示装置１１５に表示される設定メニュー画面の一例を示す図である。
【０１４７】
図示の設定メニュー画面９００は、図２（ａ）示す設定メニュー画面２００に対して、メニュー項目「所有者情報／著作権情報」９０９が追加されている点が異なる。メニュー項目「所有者情報／著作権情報」９０９が選択されると、図８（ａ）に示す所有者情報／著作権情報の登録メニュー画面８００ａに遷移する。
【０１４８】
また、図示の設定メニュー画面９００にてユーザが「通信機能の設定」２０２を選択した場合、１階層下の図１０（ｂ）に示す通信機能の設定メニュー画面９００ｂまたは通信機能の設定メニュー画面３００ｄに遷移する。通信機能の設定メニュー画面３００ｄは、図３（ｂ）に示す通信機能の設定メニュー画面３００ｄと同じである。
【０１４９】
通信機能の設定メニュー画面９００ｂでは、「通信機能」２０５において通信を「使う」が選択されているときに、制御部１２３により、「通信の設定」２０６、「所有者情報／著作権情報」９０７のメニュー項目が選択できるように表示される。
【０１５０】
メニュー項目「所有者情報／著作権情報」９０７は、図８（ａ）及び図８（ｂ）で説明した所有者情報／著作権情報を制御部１２３により画像データに付加情報として記録するか否かを選択可能とするためのメニュー項目である。
【０１５１】
ユーザは、操作部材１２２を用いて通信機能の設定メニュー画面９００ｂ上のカーソル２０４を上下方向に移動させて、「所有者情報／著作権情報」９０７を選択することで、１階層下の図１０（ｃ）に示す通信機能の設定メニュー画面９００ｃに遷移する。
【０１５２】
図１０（ｃ）において、通信機能の設定メニュー画面９００ｃでは、所有者情報／著作権情報を「付加する」９０９、「付加しない」９１０を選択することが可能である。図示例では、「付加しない」９１０が選択されている状態にある。
【０１５３】
このように通信機能を「使う」が選択されている場合、通信機能の設定画面に「所有者情報／著作権情報」を選択可能とするのは、ユーザが通信機能の設定を行う際に所有者情報等が付加された画像データが転送される可能性の認識を容易にするためである。
【０１５４】
第４の実施形態によれば、通信機能を設定状態に応じて、通信機能の設定メニュー画面９００ｂの階層下で所有者情報／著作権情報を付加するか否かを設定できるようにする。これにより、ユーザが所有者情報／著作権情報を付加された画像データが転送される可能性の認識を容易にさせることが可能である。また、所有者情報／著作権情報の付加を設定するために何回もメニューを階層的に操作することが不要で、迅速に設定を行うことが可能である。
【０１５５】
上記実施形態では、付加情報として、位置情報、所有者情報／著作権情報について説明したが、これらに限らず、漏えいが懸念される情報についても同様に適用可能であることは言うまでもない。
【０１５６】
また、上述した本発明を撮像装置に適用した実施形態について例示して説明したが、これに限定されるものではなく、画像形成装置や画像処理装置、携帯情報端末、ＰＣ等の情報処理装置に適用しても、同様の効果を奏することが云うまでもない。
【０１５７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１５８】
１００  撮像装置
１０１  無線アンテナ
１０２  無線通信回路
１０５  ＧＰＳ受信器
１１１  撮像センサ
１１５  表示装置
１１７  ＤＲＡＭ
１１８  ＦＲＯＭ
１２２  操作部材
１２３  制御部
【図１】
2015027032.tif 000003
【図２】
2015027032.tif 000004
【図３】
2015027032.tif 000005
【図４】
2015027032.tif 000006
【図５】
2015027032.tif 000007
【図６】
2015027032.tif 000008
【図７】
2015027032.tif 000009
【図８】
2015027032.tif 000010
【図９】
2015027032.tif 000011
【図１０】
2015027032.tif 000012
【図１１】
2015027032.tif 000013
【図１２】
2015027032.tif 000014